(57)【特許請求の範囲】
【請求項１】
タッチパネルディスプレイであって、
基板と、
（ｉ）第１の方向に沿って延在するラインに配列され、（ｉｉ）前記基板上に配置される、複数の伝導性タッチパネル列センサと、
（ｉ）前記列センサのラインと交差し第２の方向に沿って延在するラインに配列され、（ｉｉ）前記基板上に配置される、複数の伝導性タッチパネル行センサと、
（ｉ）列センサのラインと行センサのラインとの間の交差点に配置され、（ｉｉ）２つの行センサまたは２つの列センサを電気的に接続する、相互配線と、
を備え、前記相互配線は、
（ｉ）Ｃｕ、Ａｇ、Ａｌ、またはＡｕのうちの少なくとも１つを含む、導体層と、
（ｉｉ）前記導体層上に配置される、Ｃｕと、Ｔａ、Ｎｂ、Ｚｒ、Ｈｆ、Ｒｅ、Ｏｓ、Ｒｕ、Ｒｈ、Ｔｉ、Ｖ、およびＣｒから成るリストから選択される１つ以上の耐火金属元素との合金から本質的に成る、キャッピング層と、
を備える、タッチパネルディスプレイ。
【請求項２】
前記キャッピング層は、Ｃｕと、Ｔａ、Ｎｂ、およびＣｒから成るリストから選択される１つ以上の耐火金属元素との合金から本質的に成る、請求項１に記載のタッチパネルディスプレイ。
【請求項３】
前記相互配線は、列センサ上またはその下に延在し、２つの行センサを電気的に接続し、そして前記相互配線と前記列センサとの間に配置され、前記相互配線および前記列センサを電気的に絶縁する、絶縁層をさらに備える、請求項１に記載のタッチパネルディスプレイ。
【請求項４】
前記相互配線は、行センサ上またはその下に延在し、２つの列センサを電気的に接続し、そして前記相互配線と前記行センサとの間に配置され、前記相互配線および前記行センサを電気的に絶縁する、絶縁層をさらに備える、請求項１に記載のタッチパネルディスプレイ。
【請求項５】
前記基板は、絶縁材料を含む、請求項１に記載のタッチパネルディスプレイ。
【請求項６】
前記基板は、ガラスを含む、請求項１に記載のタッチパネルディスプレイ。
【請求項７】
前記列センサおよび行センサは、実質的に透明である伝導性材料を含む、請求項１に記載のタッチパネルディスプレイ。
【請求項８】
前記列センサおよび行センサは、インジウムスズ酸化物を含む、請求項１に記載のタッチパネルディスプレイ。
【請求項９】
前記キャッピング層は、Ｃｕ、Ｔａ、およびＣｒの合金を含む、請求項１に記載のタッチパネルディスプレイ。
【請求項１０】
前記キャッピング層は、１重量％〜１２重量％Ｔａ、１重量％〜５重量％Ｃｒ、および残りのＣｕから本質的に成る、請求項９に記載のタッチパネルディスプレイ。
【請求項１１】
前記キャッピング層は、約５重量％Ｔａ、約２重量％Ｃｒ、および残りのＣｕから本質的に成る、請求項９に記載のタッチパネルディスプレイ。
【請求項１２】
前記キャッピング層は、約２重量％Ｔａ、約１重量％Ｃｒ、および残りのＣｕから本質的に成る、請求項９に記載のタッチパネルディスプレイ。
【請求項１３】
前記キャッピング層は、Ｃｕ、Ｔａ、およびＴｉの合金を含む、請求項１に記載のタッチパネルディスプレイ。
【請求項１４】
前記キャッピング層は、１重量％〜１２重量％Ｔａ、１重量％〜５重量％Ｔｉ、および残りのＣｕから本質的に成る、請求項１３に記載のタッチパネルディスプレイ。
【請求項１５】
前記キャッピング層は、約５重量％Ｔａ、約２重量％Ｔｉ、および残りのＣｕから本質的に成る、請求項１３に記載のタッチパネルディスプレイ。
【請求項１６】
前記キャッピング層は、Ｃｕ、Ｎｂ、およびＣｒの合金を含む、請求項１に記載のタッチパネルディスプレイ。
【請求項１７】
前記キャッピング層は、１重量％〜１０重量％Ｎｂ、１重量％〜５重量％Ｃｒ、および残りのＣｕから本質的に成る、請求項１６に記載のタッチパネルディスプレイ。
【請求項１８】
前記キャッピング層は、約５重量％Ｎｂ、約２重量％Ｃｒ、および残りのＣｕから本質的に成る、請求項１６に記載のタッチパネルディスプレイ。
【請求項１９】
（ｉ）前記相互配線は、（ａ）前記キャッピング層の暴露された部分と、（ｂ）前記導体層の暴露された部分と、（ｃ）前記キャッピング層の暴露された部分と前記導体層の暴露された部分との間の界面とを含む、側壁を備え、（ｉｉ）前記電極の側壁は、前記界面にもかかわらず、実質的に断絶がない、請求項１に記載のタッチパネルディスプレイ。
【請求項２０】
（ｉ）前記キャッピング層は、粒界によって分離される複数の結晶粒を含み、（ｉｉ）前記粒界のうちの少なくとも１つは、その中に微粒子を含み、（ｉｉｉ）前記微粒子は、前記耐火金属元素のうちの少なくとも１つの集塊を含む、請求項１に記載のタッチパネルディスプレイ。
【請求項２１】
タッチパネルディスプレイの相互配線を形成する方法であって、
（ｉ）基板と、（ｉｉ）（ａ）第１の方向に沿って延在するラインに配列され、（ｂ）前記基板上に配置される、複数の伝導性タッチパネル列センサと、（ｉｉｉ）（ａ）前記列センサのラインと交差し第２の方向に沿って延在するラインに配列され、（ｂ）前記基板上に配置される、複数の伝導性タッチパネル行センサとを備える、構造を提供するステップと、
少なくとも、列センサのラインと行センサのラインとの間の交差点に、絶縁体層を堆積させるステップと、
前記絶縁体層上に、Ｃｕ、Ａｇ、Ａｌ、またはＡｕのうちの少なくとも１つを含む、導体層を堆積させるステップと、
前記導体層上に、Ｃｕと、Ｔａ、Ｎｂ、Ｚｒ、Ｈｆ、Ｒｅ、Ｏｓ、Ｒｕ、Ｒｈ、Ｔｉ、Ｖ、およびＣｒから成る群から選択される１つ以上の耐火金属元素との合金から本質的に成る、キャッピング層を堆積させるステップと、
前記キャッピング層上に、マスク層を形成するステップと、
前記マスク層をパターン化し、前記キャッピング層の一部を露出させるステップであって、前記マスク層の残りの部分は、少なくとも部分的に、前記相互配線の形状を画定する、ステップと、
その後、エッチング液を付与し、前記パターン化されたマスク層によってマスクされていない前記キャッピング層および前記導体層の部分を除去し、それによって、
（ｉ）前記キャッピング層の暴露された部分と、（ｉｉ）前記導体層の暴露された部分と、（ｉｉｉ）前記キャッピング層の暴露された部分と前記導体層の暴露された部分との間の界面とを含み、
前記界面にもかかわらず、実質的に断絶がない、
前記相互配線の側壁を形成する、ステップと、
を含む、方法。
【請求項２２】
前記キャッピング層は、Ｃｕと、Ｔａ、Ｎｂ、およびＣｒから成るリストから選択される１つ以上の耐火金属元素との合金から本質的に成る、請求項２１に記載の方法。
【請求項２３】
前記マスク層は、フォトレジストを含む、請求項２１に記載の方法。
【請求項２４】
前記エッチング液は、リン酸、酢酸、硝酸、および水の混合物を含む、請求項２１に記載の方法。
【請求項２５】
前記エッチング液は、５０〜６０重量％リン酸、１５〜２５重量％酢酸、３〜５重量％硝酸、および残りの水から本質的に成る、請求項２１に記載の方法。
【請求項２６】
前記エッチング液は、５０重量％リン酸、２５重量％酢酸、３重量％硝酸、および残りの水から本質的に成る、請求項２１に記載の方法。
【請求項２７】
前記パターン化されたマスク層の前記残りの部分を除去するステップをさらに含む、請求項２１に記載の方法。
【請求項２８】
前記キャッピング層は、粒界によって分離される複数の結晶粒を含む、請求項２１に記載の方法。
【請求項２９】
前記粒界のうちの少なくとも１つ内に微粒子を形成するために十分な温度で前記相互配線をアニーリングするステップをさらに含み、前記微粒子は、前記耐火金属元素のうちの少なくとも１つの集塊を含む、請求項２８に記載の方法。
【請求項３０】
前記基板は、絶縁材料を含む、請求項２１に記載の方法。
【請求項３１】
前記基板は、ガラスを含む、請求項２１に記載の方法。
【請求項３２】
前記列センサおよび行センサは、実質的に透明である伝導性材料を含む、請求項２１に記載の方法。
【請求項３３】
前記列センサおよび行センサは、インジウムスズ酸化物を含む、請求項２１に記載の方法。
【請求項３４】
前記キャッピング層は、Ｃｕ、Ｔａ、およびＣｒの合金を含む、請求項２１に記載の方法。
【請求項３５】
前記キャッピング層は、１重量％〜１２重量％Ｔａ、１重量％〜５重量％Ｃｒ、および残りのＣｕから本質的に成る、請求項３４に記載の方法。
【請求項３６】
前記キャッピング層は、約５重量％Ｔａ、約２重量％Ｃｒ、および残りのＣｕから本質的に成る、請求項３４に記載の方法。
【請求項３７】
前記キャッピング層は、約２重量％Ｔａ、約１重量％Ｃｒ、および残りのＣｕから本質的に成る、請求項３４に記載の方法。
【請求項３８】
前記キャッピング層は、Ｃｕ、Ｔａ、およびＴｉの合金を含む、請求項２１に記載の方法。
【請求項３９】
前記キャッピング層は、１重量％〜１２重量％Ｔａ、１重量％〜５重量％Ｔｉ、および残りのＣｕから本質的に成る、請求項３８に記載の方法。
【請求項４０】
前記キャッピング層は、約５重量％Ｔａ、約２重量％Ｔｉ、および残りのＣｕから本質的に成る、請求項３８に記載の方法。
【請求項４１】
前記キャッピング層は、Ｃｕ、Ｎｂ、およびＣｒの合金を含む、請求項２１に記載の方法。
【請求項４２】
前記キャッピング層は、１重量％〜１０重量％Ｎｂ、１重量％〜５重量％Ｃｒ、および残りのＣｕから本質的に成る、請求項４１に記載の方法。
【請求項４３】
前記キャッピング層は、約５重量％Ｎｂ、約２重量％Ｃｒ、および残りのＣｕから本質的に成る、請求項４１に記載の方法。
【請求項４４】
前記導体層は、Ｃｕ、Ａｇ、またはＡｕのうちの少なくとも１つから本質的に成る、請求項１に記載のタッチパネルディスプレイ。
【請求項４５】
前記キャッピング層は、Ｃｕと、Ｈｆ、Ｒｅ、Ｏｓ、Ｒｕ、およびＲｈから成るリストから選択される１つ以上の耐火金属元素との合金を含む、請求項１に記載のタッチパネルディスプレイ。
【請求項４６】
前記導体層は、Ｃｕ、Ａｇ、またはＡｕのうちの少なくとも１つから本質的に成る、請求項２１に記載の方法。
【請求項４７】
前記キャッピング層は、Ｃｕと、Ｈｆ、Ｒｅ、Ｏｓ、Ｒｕ、およびＲｈから成るリストから選択される１つ以上の耐火金属元素との合金を含む、請求項２１に記載の方法。
【発明の詳細な説明】
【技術分野】
【０００１】
（関連出願）
本出願は、２０１３年６月６日に出願された米国仮特許出願番号第６１／８３１，８６５号に基づく利益および優先権を主張しており、その全体の開示は参考として本明細書中に本明細書によって援用される。
【０００２】
（技術分野）
種々の実施形態では、本発明は、フラットパネルディスプレイおよびタッチパネルディスプレイ等の電子素子の金属被覆に関し、具体的には、そのような金属被覆のためのキャッピングおよび障壁層に関する。
【背景技術】
【０００３】
（背景）
フラットパネルディスプレイは、種々の市場に急速に普及しつつあり、現在、種々の器具、テレビ、コンピュータ、携帯電話、および他の電子素子において一般に利用されている。一般に使用されるフラットパネルディスプレイの一実施例は、薄膜トランジスタ（ＴＦＴ）液晶ディスプレイ（ＬＣＤ）またはＴＦＴ−ＬＣＤである。典型的ＴＦＴ−ＬＣＤは、それぞれがＬＣＤの画素またはサブ画素からの光の放出を制御する、ＴＦＴのアレイを含む。図１Ａは、ＴＦＴ−ＬＣＤに見出され得るように従来のＴＦＴ１００の断面を描写する。示されるように、ＴＦＴ１００は、ガラス基板１１０上に形成されるゲート電極１０５を含む。ゲート絶縁体１１５は、ゲート電極１０５を上にある伝導性構造から電気的に絶縁する。活性層１２０は、典型的には、非晶質シリコンから成り、ゲート電極１０５の電気制御下、ソース電極１２５とドレイン電極１３０との間で電荷を伝導させ、伝導された電荷は、そこに接続される画素またはサブ画素（図示せず）の動作を制御する。ソース／ドレイン絶縁体１３２は、ソース電極１２５をドレイン電極１３０から電気的に絶縁し、ＴＦＴ１００を保護するようにシールする。示されるように、ゲート電極１０５、ソース電極１２５、およびドレイン電極１３０はそれぞれ、典型的には、障壁金属層１３５と、それを覆う金属導体層１４０とを含む。障壁１３５は、導体１４０と下にあるガラスおよび／またはシリコンとの間に良好な接着を提供し、その間の拡散を低減または防止する。
【０００４】
経年的に、ＬＣＤパネルサイズは増加しており、そしてＴＦＴベースの画素サイズは減少しており、ＴＦＴ−ＬＣＤ構造内の導体にますます過剰な要求を突き付けている。導体内の抵抗を減少させ、それによって、ＴＦＴ−ＬＣＤ内の電気信号伝搬速度を増加させるため、製造業者は、現在、ディスプレイ内の導体１４０のために、銅（Ｃｕ）等の低抵抗率金属を利用している。モリブデン（Ｍｏ）、チタン（Ｔｉ）、またはモリブデン−チタン合金（Ｍｏ−Ｔｉ）等の金属が、Ｃｕ導体１４０の下にある障壁１３５のために利用されている。しかしながら、これらの金属は、ＴＦＴ−ＬＣＤの性能を制限し、そして／またはＴＦＴ−ＬＣＤのための製作プロセスに難点を呈するという１つ以上の欠点に悩まされる。例えば、いくつかの従来の障壁１３５は、比較的に高抵抗率を有し、したがって、電極の全体的伝導性を損なわせる。さらに、図１Ｂに示されるように、ゲート電極１０５等の電極のエッチングの際、（一方または両方電極材料の）残留物１４５またはエッッチング断絶１５０、例えば、段付きまたは非線形外形（２つの異なる電極材料の非均一エッチング率によって生じる）のいずれかが、生じ得る。
【０００５】
同様に、タッチパネルディスプレイは、電子素子においてより一般的になりつつあり、そしてＴＦＴ−ＬＣＤ内で直列利用さえされ得る。典型的タッチパネルディスプレイは、列および行に配列されるセンサのアレイを含み、容量結合を介して、例えば、指のタッチ（または、近接近）を感知する。図２Ａは、行２２０を形成するように相互接続される、複数の伝導性行センサ２１０と、ならびに列２４０を形成するように相互接続される、複数の伝導性列センサ２３０とを含む、タッチパネルディスプレイのための例示的センサアレイ２００を図式的に描写する。センサ２１０、２３０は、「タッチ」を表す、容量結合の変化を感知し、かつこれらの信号を素子内の他の電子構成元素（例えば、タッチスクリーンを組み込む、コンピュータまたはモバイルコンピューティング素子）に提供する、基板２５０を覆って形成され、プロセッサ２６０に電気的に結合される。センサ２１０、２３０は、インジウムスズ酸化物（ＩＴＯ）等の透明導体から形成されてもよく、基板２５０は、ガラスまたは任意の他の好適に剛性（および／または透明）支持材料であってもよい。
【０００６】
図２Ｂは、センサアレイ２００内の点の拡大斜視図を描写し、相互接続された行センサ２１０は、相互接続された列センサ２３０に交差する。行２２０と列２４０との間の電気短絡を回避するために（図２Ａ参照）、行センサ２１０間の相互接続は、下にあるまたは上にある列センサ２３０から隔離される。例えば、図２Ｂに示されるように、絶縁体層２７０は、行センサ２１０の行２２０と、列２４０内の列センサ２３０を電気的に接続する、伝導性相互配線（または、「ブリッジ」）２８０との間に配置される。図２Ｃに示されるように、相互配線２８０は、典型的には、典型的にはＭｏ、Ｔｉ、またはＭｏ−Ｔｉから成る、上にある障壁またはキャッピング層２９５を伴う、Ａｌ伝導性層２９０から成る。キャッピング層２９５は、伝導性層２９０からの拡散を防止するのに役立ち、処理および製品使用の間、伝導性層２９０を腐食から保護する。キャッピング層２９５はまた、上にある層への接着を改良し得る。しかしながら、ＴＦＴ−ＬＣＤに関して前述のように、キャッピング層２９５のために従来使用される金属は、性能を制限する、および／または加工プロセスにおいて難点を呈するという、１つ以上の欠点に悩まされる。例えば、キャッピング層２９５は、比較的に高抵抗率を有し、したがって、相互配線２８０の全体的伝導性を損なわせ、電気性能を劣化させ得る。さらに、図２Ｄに示されるように、相互配線２８０のエッチングの際、（伝導性層２９０またはキャッピング層２９５の一方または両方の）残留物２９６またはエッチング断絶２９７、例えば、段付きまたは非線形外形（２つの異なる材料の非均一エッチング速度によって生じる）のいずれかが生じ得る。
【０００７】
前述に照らして、下にある基板への優れた接着を提供し、近傍層の中への導体金属の拡散を防止し、導体金属を腐食から保護し、そして製作の間、下にあるまたは上にある導体金属と均一にエッチングされる、ＴＦＴ−ＬＣＤおよびタッチパネルディスプレイ等の電子素子のための障壁および／またはキャッピング金属層の必要性がある。
【発明の概要】
【課題を解決するための手段】
【０００８】
（要旨）
本発明の種々の実施形態によると、ＴＦＴ−ＬＣＤおよびタッチパネルディスプレイ等の電子素子ならびにその中の金属相互配線および電極は、Ｃｕと、タンタル（Ｔａ）、ニオブ（Ｎｂ）、Ｍｏ、タングステン（Ｗ）、ジルコニウム（Ｚｒ）、ハフニウム（Ｈｆ）、レニウム（Ｒｅ）、オスミウム（Ｏｓ）、ルテニウム（Ｒｕ）、ロジウム（Ｒｈ）、Ｔｉ、バナジウム（Ｖ）、クロム（Ｃｒ）、またはニッケル（Ｎｉ）等の１つ以上の耐火金属元素との合金を含むか、または本質的にそれから成るキャッピングおよび／または障壁層を利用して製作される。１つ以上の耐火元素は、１〜５０％の重量濃度で合金内に存在し得る。例示的実装では、合金障壁層は、直接、ガラスおよび／またはシリコンベースの層等の基板層上に形成され、Ｃｕ、銀（Ａｇ）、アルミニウム（Ａｌ）、または金（Ａｕ）等の高伝導性金属を含むか、または本質的にそれから成る導体層が、それを覆って形成され、ＴＦＴ構造内に種々の電極を形成する。別の例示的実装では、Ｃｕ、Ａｇ、Ａｌ、および／またはＡｕ等の高伝導性金属は、タッチパネルディスプレイ内の伝導性相互配線として利用され、ＣｕとＴａ、Ｎｂ、Ｍｏ、Ｗ、Ｚｒ、Ｈｆ、Ｒｅ、Ｏｓ、Ｒｕ、Ｒｈ、Ｔｉ、Ｖ、Ｃｒ、またはＮｉ等の１つ以上の耐火金属元素の合金を含むか、または本質的にそれから成る保護キャッピング層でキャッピングされる。１つ以上の耐火元素は、１〜５０％の重量濃度（以下、重量％）で合金内に存在し得る。
【０００９】
驚くべきことに、たとえ障壁およびキャッピング層が主にＣｕであっても、耐火金属合金元素の存在は、Ｃｕ導体層と併用されるとき、純粋Ｍｏ障壁層とほぼ同様に、近傍層、例えば、下にあるシリコン層の中へのＣｕの拡散を減少またはさらに防止する。本現象に関する任意の特定の理論または機構によって拘束されることを所望するわけではないが、耐火金属合金元素は、シリコン層の原子と反応し、障壁またはキャッピング金属内の粒界（ｇｒａｉｎ  ｂｏｕｎｄａｒｉｅｓ）を占有する珪化物領域を形成し、それによって、そうでなければ、高速拡散経路となるであろう、粒界に沿った基板（または、他の隣接層）の中へのＣｕの拡散を防止し得る。
【００１０】
種々の実施形態では、障壁および／またはキャッピング層は、Ｃｕと、（ｉ）ＴａおよびＣｒ、（ｉｉ）ＴａおよびＴｉ、または（ｉｉｉ）ＮｂおよびＣｒの合金を含むか、または本質的にそれから成る。例えば、障壁および／またはキャッピング層は、（ｉ）１重量％〜１２重量％Ｔａ（好ましくは、約５重量％Ｔａ）および１重量％〜５重量％Ｃｒ（好ましくは、約２重量％Ｃｒ）、（ｉｉ）１重量％〜１２重量％Ｔａ（好ましくは、約５重量％Ｔａ）および１重量％〜５重量％Ｔｉ（好ましくは、約２重量％Ｔｉ）、または（ｉｉｉ）１重量％〜１０重量％Ｎｂ（好ましくは、約５重量％Ｎｂ）および１重量％〜５重量％Ｃｒ（好ましくは、約２重量％Ｃｒ）を含んでもよい。さらに、Ｃｕ等の高伝導性導体層と併用され、電極および／または相互配線を形成するとき、障壁および／またはキャッピング層ならびに導体層は、水と混合され、高温まで加熱され得る、ＰＡＮエッチング液、すなわち、リン酸、酢酸、および硝酸の混合物等の好ましいエッチング液中において、実質的に、同じエッチング速度を呈する。したがって、エッチング関連残留物および断絶は、本発明の好ましい実施形態に従って、障壁および／またはキャッピング層の使用を介して、最小限にされる、または排除される。
【００１１】
ある側面では、本発明の実施形態は、基板および電極を含むか、または本質的にそれから成る薄膜トランジスタを特徴とする。基板は、シリコンおよび／またはガラスを含むか、または本質的にそれから成ってもよい。電極は、（ｉ）基板を覆ってまたはその上に配置される、Ｃｕと、Ｔａ、Ｎｂ、Ｍｏ、Ｗ、Ｚｒ、Ｈｆ、Ｒｅ、Ｏｓ、Ｒｕ、Ｒｈ、Ｔｉ、Ｖ、Ｃｒ、およびＮｉから成るリストから選択される１つ以上の耐火金属元素との合金を含むか、本質的にそれから成るか、またはそれから成る障壁層と、（ｉｉ）障壁層を覆ってまたはその上に配置される、Ｃｕ、Ａｇ、Ａｌ、および／またはＡｕを含むか、本質的にそれから成るか、またはそれから成る導体層とを含むか、または本質的にそれから成る。
【００１２】
本発明の実施形態は、種々の異なる組み合わせのいずれかにおいて、以下のうちの１つ以上のものを含んでもよい。基板は、ガラスを含むか、本質的にそれから成るか、またはそれから成ってもよい。基板は、シリコン、例えば、非晶質シリコンを含むか、本質的にそれから成るか、またはそれから成ってもよい。障壁層は、Ｃｕ、Ｔａ、およびＣｒの合金を含むか、本質的にそれから成るか、またはそれから成ってもよい。障壁層は、１重量％〜１２重量％Ｔａ、１重量％〜５重量％Ｃｒ、および残りのＣｕを含むか、本質的にそれから成るか、またはそれから成ってもよい。障壁層は、約５重量％Ｔａ、約２重量％Ｃｒ、および残りのＣｕを含むか、本質的にそれから成るか、またはそれから成ってもよい。障壁層は、５重量％Ｔａ、２重量％Ｃｒ、および残りのＣｕを含むか、本質的にそれから成るか、またはそれから成ってもよい。障壁層は、約２重量％Ｔａ、約１重量％Ｃｒ、および残りのＣｕを含むか、本質的にそれから成るか、またはそれから成ってもよい。障壁層は、２重量％Ｔａ、１重量％Ｃｒ、および残りのＣｕを含むか、本質的にそれから成るか、またはそれから成ってもよい。
【００１３】
障壁層は、Ｃｕ、Ｔａ、およびＴｉの合金を含むか、本質的にそれから成るか、またはそれから成ってもよい。障壁層は、１重量％〜１２重量％Ｔａ、１重量％〜５重量％Ｔｉ、および残りのＣｕを含むか、本質的にそれから成るか、またはそれから成ってもよい。障壁層は、約５重量％Ｔａ、約２重量％Ｔｉ、および残りのＣｕを含むか、本質的にそれから成るか、またはそれから成ってもよい。障壁層は、５重量％Ｔａ、２重量％Ｔｉ、および残りのＣｕを含むか、本質的にそれから成るか、またはそれから成ってもよい。
【００１４】
障壁層は、Ｃｕ、Ｎｂ、およびＣｒの合金を含むか、本質的にそれから成るか、またはそれから成ってもよい。障壁層は、１重量％〜１０重量％Ｎｂ、１重量％〜５重量％Ｃｒ、および残りのＣｕを含むか、本質的にそれから成るか、またはそれから成ってもよい。障壁層は、約５重量％Ｎｂ、約２重量％Ｃｒ、および残りのＣｕを含むか、本質的にそれから成るか、またはそれから成ってもよい。障壁層は、５重量％Ｎｂ、２重量％Ｃｒ、および残りのＣｕを含むか、本質的にそれから成るか、またはそれから成ってもよい。
【００１５】
電極は、（ａ）障壁層の暴露された部分と、（ｂ）導体層の暴露された部分と、（ｃ）障壁層の暴露された部分と導体層の暴露された部分との間の界面とを含むか、本質的にそれから成るか、またはそれから成る、側壁を含んでもよい。電極の側壁は、界面にもかかわらず、実質的にまたはさらに全体的に断絶がないであろう。基板は、実質的にまたはさらに全体的に、障壁層からのＣｕ拡散がないであろう。障壁層は、粒界によって分離される複数の結晶粒を含むか、本質的にそれから成るか、またはそれから成ってもよい。粒界のうちの少なくとも１つは、その中に微粒子を含んでもよい。微粒子は、シリコンと耐火金属元素のうちの少なくとも１つとの反応生成物を含むか、本質的にそれから成るか、またはそれから成ってもよい。
【００１６】
別の側面では、本発明の実施形態は、薄膜トランジスタの電極を形成する方法を特徴とする。基板が、提供される。基板は、シリコンおよび／またはガラスを含むか、本質的にそれから成るか、またはそれから成ってもよい。障壁層が、基板を覆って堆積され、導体層が、障壁層を覆って堆積される。障壁層は、Ｃｕと、Ｔａ、Ｎｂ、Ｍｏ、Ｗ、Ｚｒ、Ｈｆ、Ｒｅ、Ｏｓ、Ｒｕ、Ｒｈ、Ｔｉ、Ｖ、Ｃｒ、およびＮｉから成る群から選択される１つ以上の耐火金属元素との合金を含むか、本質的にそれから成るか、またはそれから成る。導体層は、Ｃｕ、Ａｇ、Ａｌ、および／またはＡｕを含むか、本質的にそれから成るか、またはそれから成る。マスク層が、障壁層を覆って形成され、マスク層は、パターン化され、導体層の一部を露出させる。マスク層の残りの部分は、少なくとも部分的に、電極の形状を画定し得る。エッチング液が、付与され、パターン化されたマスク層によってマスクされていない導体層および障壁層の部分を除去し、それによって、電極の側壁を形成する。側壁は、（ａ）障壁層の暴露された部分と、（ｂ）導体層の暴露された部分と、（ｃ）障壁層の暴露された部分と導体層の暴露された部分との間の界面とを含むか、本質的にそれから成るか、またはそれから成る。側壁は、界面にもかかわらず、実質的にまたはさらに全体的に断絶がない。
【００１７】
本発明の実施形態は、種々の異なる組み合わせのいずれかにおいて、以下のうちの１つ以上のものを含んでもよい。マスク層は、フォトレジストを含むか、本質的にそれから成るか、またはそれから成ってもよい。エッチング液は、リン酸、酢酸、硝酸、および水の混合物を含むか、本質的にそれから成るか、またはそれから成ってもよい。エッチング液は、５０〜６０重量％リン酸、１５〜２５重量％酢酸、３〜５重量％硝酸、および残りの水を含むか、本質的にそれから成るか、またはそれから成ってもよい。エッチング液は、５０重量％リン酸、２５重量％酢酸、３重量％硝酸、および残りの水を含むか、本質的にそれから成るか、またはそれから成ってもよい。パターン化されたマスク層の残りの部分は、例えば、エッチング液が付与された後、除去されてもよい。障壁層は、粒界によって分離される複数の結晶粒を含むか、本質的にそれから成るか、またはそれから成ってもよい。基板は、シリコンを含むか、本質的にそれから成るか、またはそれから成ってもよい。電極は、粒界のうちの少なくとも１つ内に微粒子を形成するために十分な温度（例えば、２００℃〜７００℃または３００℃〜５００℃）でアニーリングされてもよい。微粒子は、シリコンと耐火金属元素のうちの少なくとも１つ（例えば、耐火金属珪化物）との反応生成物を含むか、本質的にそれから成るか、またはそれから成ってもよい。基板は、ガラスまたは非晶質シリコンを含むか、本質的にそれから成る、またはそれから成ってもよい。
【００１８】
障壁層は、Ｃｕ、Ｔａ、およびＣｒの合金を含むか、本質的にそれから成るか、またはそれから成ってもよい。障壁層は、１重量％〜１２重量％Ｔａ、１重量％〜５重量％Ｃｒ、および残りのＣｕを含むか、本質的にそれから成るか、またはそれから成ってもよい。障壁層は、約５重量％Ｔａ、約２重量％Ｃｒ、および残りのＣｕを含むか、本質的にそれから成るか、またはそれから成ってもよい。障壁層は、５重量％Ｔａ、２重量％Ｃｒ、および残りのＣｕを含むか、本質的にそれから成るか、またはそれから成ってもよい。障壁層は、約２重量％Ｔａ、約１重量％Ｃｒ、および残りのＣｕを含むか、本質的にそれから成るか、またはそれから成ってもよい。障壁層は、２重量％Ｔａ、１重量％Ｃｒ、および残りのＣｕを含むか、本質的にそれから成るか、またはそれから成ってもよい。
【００１９】
障壁層は、Ｃｕ、Ｔａ、およびＴｉの合金を含むか、本質的にそれから成るか、またはそれから成ってもよい。障壁層は、１重量％〜１２重量％Ｔａ、１重量％〜５重量％Ｔｉ、および残りのＣｕを含むか、本質的にそれから成るか、またはそれから成ってもよい。障壁層は、約５重量％Ｔａ、約２重量％Ｔｉ、および残りのＣｕを含むか、本質的にそれから成るか、またはそれから成ってもよい。障壁層は、５重量％Ｔａ、２重量％Ｔｉ、および残りのＣｕを含むか、本質的にそれから成るか、またはそれから成ってもよい。
【００２０】
障壁層は、Ｃｕ、Ｎｂ、およびＣｒの合金を含むか、本質的にそれから成るか、またはそれから成ってもよい。障壁層は、１重量％〜１０重量％Ｎｂ、１重量％〜５重量％Ｃｒ、および残りのＣｕを含むか、本質的にそれから成るか、またはそれから成ってもよい。障壁層は、約５重量％Ｎｂ、約２重量％Ｃｒ、および残りのＣｕを含むか、本質的にそれから成るか、またはそれから成ってもよい。障壁層は、５重量％Ｎｂ、２重量％Ｃｒ、および残りのＣｕを含むか、本質的にそれから成るか、またはそれから成ってもよい。
【００２１】
さらに別の側面では、本発明の実施形態は、基板と、複数の伝導性タッチパネル列センサと、複数の伝導性タッチパネル行センサと、相互配線とを含むか、または本質的にそれから成るタッチパネルディスプレイを特徴とする。列センサは、基板を覆って配置され、第１の方向に沿って延在するラインに配列される。行センサは、基板を覆って配置され、第２の方向に沿って延在するラインに配列され、列センサのラインと交差する。相互配線は、列センサのラインと行センサのラインとの間の交差点に配置され、相互配線は、２つの行センサまたは２つの列センサを電気的に接続する。相互配線は、（ｉ）Ｃｕ、Ａｇ、Ａｌ、および／またはＡｕを含むか、本質的にそれから成るか、またはそれから成る、導体層と、（ｉｉ）導体層を覆ってまたはその上に配置される、Ｃｕと、Ｔａ、Ｎｂ、Ｍｏ、Ｗ、Ｚｒ、Ｈｆ、Ｒｅ、Ｏｓ、Ｒｕ、Ｒｈ、Ｔｉ、Ｖ、Ｃｒ、およびＮｉから成るリストから選択される１つ以上の耐火金属元素との合金を含む、本質的にそれから成るか、またはそれから成るか、キャッピング層とを含むか、本質的にそれから成るか、またはそれから成る。
【００２２】
本発明の実施形態は、種々の異なる組み合わせのいずれかにおいて、以下のうちの１つ以上のものを含んでもよい。相互配線は、列センサを覆ってまたはその下に延在し、２つの行センサを電気的に接続してもよい。絶縁層は、相互配線と列センサとの間に配置されてもよく、相互配線および列センサを電気的に絶縁してもよい。相互配線は、行センサを覆ってまたはその下に延在し、２つの列センサを電気的に接続してもよい。絶縁層は、相互配線と行センサとの間に配置されてもよく、相互配線および行センサを電気的に絶縁してもよい。基板は、絶縁材料、例えば、ガラスを含むか、本質的にそれから成るか、またはそれから成ってもよい。列センサおよび／または行センサは、実質的に透明である伝導性材料、例えば、インジウムスズ酸化物を含むか、本質的にそれから成るか、またはそれから成ってもよい。
【００２３】
キャッピング層は、Ｃｕ、Ｔａ、およびＣｒの合金を含むか、本質的にそれから成る、またはそれから成ってもよい。キャッピング層は、１重量％〜１２重量％Ｔａ、１重量％〜５重量％Ｃｒ、および残りのＣｕを含むか、本質的にそれから成るか、またはそれから成ってもよい。キャッピング層は、約５重量％Ｔａ、約２重量％Ｃｒ、および残りのＣｕを含むか、本質的にそれから成るか、またはそれから成ってもよい。キャッピング層は、５重量％Ｔａ、２重量％Ｃｒ、および残りのＣｕを含むか、本質的にそれから成るか、またはそれから成ってもよい。キャッピング層は、約２重量％Ｔａ、約１重量％Ｃｒ、および残りのＣｕを含むか、本質的にそれから成るか、またはそれから成ってもよい。キャッピング層は、２重量％Ｔａ、１重量％Ｃｒ、および残りのＣｕを含むか、本質的にそれから成るか、またはそれから成ってもよい。
【００２４】
キャッピング層は、Ｃｕ、Ｔａ、およびＴｉの合金を含むか、本質的にそれから成るか、またはそれから成ってもよい。キャッピング層は、１重量％〜１２重量％Ｔａ、１重量％〜５重量％Ｔｉ、および残りのＣｕを含むか、本質的にそれから成るか、またはそれから成ってもよい。キャッピング層は、約５重量％Ｔａ、約２重量％Ｔｉ、および残りのＣｕを含むか、本質的にそれから成るか、またはそれから成ってもよい。キャッピング層は、５重量％Ｔａ、２重量％Ｔｉ、および残りのＣｕを含むか、本質的にそれから成るか、またはそれから成ってもよい。
【００２５】
キャッピング層は、Ｃｕ、Ｎｂ、およびＣｒの合金を含むか、本質的にそれから成るか、またはそれから成ってもよい。キャッピング層は、１重量％〜１０重量％Ｎｂ、１重量％〜５重量％Ｃｒ、および残りのＣｕを含むか、本質的にそれから成るか、またはそれから成ってもよい。キャッピング層は、約５重量％Ｎｂ、約２重量％Ｃｒ、および残りのＣｕを含むか、本質的にそれから成るか、またはそれから成ってもよい。キャッピング層は、５重量％Ｎｂ、２重量％Ｃｒ、および残りのＣｕを含むか、本質的にそれから成るか、またはそれから成ってもよい。
【００２６】
相互配線は、（ａ）キャッピング層の暴露された部分と、（ｂ）導体層の暴露された部分と、（ｃ）キャッピング層の暴露された部分と導体層の暴露された部分との間の界面とを含むか、本質的にそれから成るか、またはそれから成る、側壁を含んでもよい。電極の側壁は、界面にもかかわらず、実質的にまたはさらに全体的に断絶がないであろう。キャッピング層は、粒界によって分離される複数の結晶粒を含むか、本質的にそれから成るか、またはそれから成ってもよい。粒界のうちの少なくとも１つは、その中に微粒子を含んでもよい。微粒子は、耐火金属元素のうちの１つ以上の集塊（例えば、拡散を介して一体となる原子の集積）を含む、本質的にそれから成るか、またはそれから成ってもよい。粒界の１つ以上は、キャッピング層の粒子のバルク体積より大きい濃度の耐火金属元素を含有してもよい。
【００２７】
別の側面では、本発明の実施形態は、タッチパネルディスプレイの相互配線を形成する方法を特徴とする。基板と、複数の伝導性タッチパネル列センサと、複数の伝導性タッチパネル行センサとを含むか、または本質的にそれから成る構造が提供される。列センサは、基板を覆って配置され、第１の方向に沿って延在するラインに配列される。行センサは、基板を覆って配置され、第２の方向に沿って延在するラインに配列され、列センサのラインと交差する。絶縁体層が、少なくとも、列センサのラインと行センサのラインとの間の交差点に堆積される。導体層が、絶縁体層を覆って堆積され、キャッピング層が、導体層を覆ってまたはその上に堆積される。導体層は、Ｃｕ、Ａｇ、Ａｌ、および／またはＡｕを含むか、本質的にそれから成るか、またはそれから成る。キャッピング層は、ＣｕとＴａ、Ｎｂ、Ｍｏ、Ｗ、Ｚｒ、Ｈｆ、Ｒｅ、Ｏｓ、Ｒｕ、Ｒｈ、Ｔｉ、Ｖ、Ｃｒ、およびＮｉから成る群から選択される１つ以上の耐火金属元素の合金を含むか、本質的にそれから成るか、またはそれから成る。マスク層が、キャッピング層を覆って形成される。マスク層は、パターン化され、キャッピング層の一部を露出させる。マスク層の残りの部分は、少なくとも部分的に、相互配線の形状を画定し得る。エッチング液が、付与され、パターン化されたマスク層によってマスクされていないキャッピング層および導体層の部分を除去し、それによって、相互配線の側壁を形成する。側壁は、（ａ）キャッピング層の暴露された部分と、（ｂ）導体層の暴露された部分と、（ｃ）キャッピング層の暴露された部分と導体層の暴露された部分との間の界面とを含むか、本質的にそれから成るか、またはそれから成る。側壁は、界面にもかかわらず、実質的にまたはさらに全体的に断絶がない。
【００２８】
本発明の実施形態は、種々の異なる組み合わせのいずれかにおいて、以下のうちの１つ以上のものを含んでもよい。マスク層は、フォトレジストを含むか、本質的にそれから成るか、またはそれから成ってもよい。エッチング液は、リン酸、酢酸、硝酸、および水の混合物を含むか、本質的にそれから成るか、またはそれから成ってもよい。エッチング液は、５０〜６０重量％リン酸、１５〜２５重量％酢酸、３〜５重量％硝酸、および残りの水を含むか、本質的にそれから成るか、またはそれから成ってもよい。エッチング液は、５０重量％リン酸、２５重量％酢酸、３重量％硝酸、および残りの水を含む、本質的にそれから成るか、またはそれから成ってもよい。パターン化されたマスク層の残りの任意の部分が、除去されてもよい。キャッピング層は、粒界によって分離される複数の結晶粒を含むか、本質的にそれから成るか、またはそれから成ってもよい。相互配線は、粒界のうちの少なくとも１つ内に微粒子を形成するために十分な温度でアニーリングされてもよい（例えば、２００℃〜７００℃、または３００℃〜５００℃）。微粒子は、耐火金属元素のうちの少なくとも１つの集塊を含むか、本質的にそれから成るか、またはそれから成ってもよい。基板は、絶縁材料、例えば、ガラスを含むか、本質的にそれから成るか、またはそれから成ってもよい。列センサおよび行センサは、実質的透明伝導性材料、例えば、インジウムスズ酸化物を含むか、本質的にそれから成るか、またはそれから成ってもよい。
【００２９】
キャッピング層は、Ｃｕ、Ｔａ、およびＣｒの合金を含むか、本質的にそれから成るか、またはそれから成ってもよい。キャッピング層は、１重量％〜１２重量％Ｔａ、１重量％〜５重量％Ｃｒ、および残りのＣｕを含むか、本質的にそれから成るか、またはそれから成ってもよい。キャッピング層は、約５重量％Ｔａ、約２重量％Ｃｒ、および残りのＣｕを含むか、本質的にそれから成るか、またはそれから成ってもよい。キャッピング層は、５重量％Ｔａ、２重量％Ｃｒ、および残りのＣｕを含むか、本質的にそれから成るか、またはそれから成ってもよい。キャッピング層は、約２重量％Ｔａ、約１重量％Ｃｒ、および残りのＣｕを含むか、本質的にそれから成るか、またはそれから成ってもよい。キャッピング層は、２重量％Ｔａ、１重量％Ｃｒ、および残りのＣｕを含むか、本質的にそれから成るか、またはそれから成ってもよい。
【００３０】
キャッピング層は、Ｃｕ、Ｔａ、およびＴｉの合金を含むか、本質的にそれから成るか、またはそれから成ってもよい。キャッピング層は、１重量％〜１２重量％Ｔａ、１重量％〜５重量％Ｔｉ、および残りのＣｕを含むか、本質的にそれから成るか、またはそれから成ってもよい。キャッピング層は、約５重量％Ｔａ、約２重量％Ｔｉ、および残りのＣｕを含むか、本質的にそれから成るか、またはそれから成ってもよい。キャッピング層は、５重量％Ｔａ、２重量％Ｔｉ、および残りのＣｕを含むか、本質的にそれから成るか、またはそれから成ってもよい。
【００３１】
キャッピング層は、Ｃｕ、Ｎｂ、およびＣｒの合金を含むか、本質的にそれから成るか、またはそれから成ってもよい。キャッピング層は、１重量％〜１０重量％Ｎｂ、１重量％〜５重量％Ｃｒ、および残りのＣｕを含むか、本質的にそれから成るか、またはそれから成ってもよい。キャッピング層は、約５重量％Ｎｂ、約２重量％Ｃｒ、および残りのＣｕを含むか、本質的にそれから成るか、またはそれから成ってもよい。キャッピング層は、５重量％Ｎｂ、２重量％Ｃｒ、および残りのＣｕを含むか、本質的にそれから成るか、またはそれから成ってもよい。
【００３２】
これらおよび他の目的は、本明細書に開示される本発明の利点および特徴とともに、以下の説明、付随の図面、および請求項の参照を通して、より明白になるであろう。さらに、本明細書に説明される種々の実施形態の特徴は、相互に排他的ではなく、種々の組み合わせおよび順列で存在し得ることを理解されたい。本明細書で使用されるように、用語「約」および「実質的に」は、±１０％、いくつかの実施形態では、±５％を意味する。用語「本質的に成る」は、別様に本明細書に定義されない限り、機能に寄与する他の材料を排除することを意味する。それにもかかわらず、そのような他の材料は、集合的に、または個々に、微量に存在し得る。例えば、複数の金属から本質的に成る構造は、概して、それらの金属のみと、化学分析を介して検出可能であり得るが、機能に寄与しない、非意図的不純物（金属または非金属であり得る）のみとを含み得る。本明細書で使用されるように、「少なくとも１つの金属から本質的に成る」は、金属と、酸素または窒素等の非金属元素または化学種との間の化合物（例えば、金属窒化物または金属酸化物）ではなく、金属あるいは２つ以上の金属の混合物を指す。そのような非金属元素または化学種は、集合的に、または個々に、例えば、不純物として、微量に存在し得る。本明細書で使用されるように、「行（ｃｏｌｕｍｎ）」および「列（ｒｏｗ）」は、異なる方向に配列される（しかも交差し得る）要素を指し、別様に注記されない限り、その他の点では、任意である。すなわち、要素の配列は、空間内または素子の中のその配向にかかわらず、列または行であってもよい。本明細書で使用されるように、「基板」または「基層」は、その上にあるいは１つ以上の付加的層自体に配置される１つ以上の付加的層の有無にかかわらず、支持部材（例えば、シリコン、ＧａＡｓ、ＧａＮ、ＳｉＣ、サファイア、またはＩｎＰ等の半導体基板、あるいは別の材料、例えば、ガラス等の絶縁材料を含むｔ、または本質的にそれから成る、プラットフォーム）を指す。
例えば、本願発明は以下の項目を提供する。
（項目１）
薄膜トランジスタであって、
シリコンまたはガラスのうちの少なくとも１つを含む、基板と、
電極であって、
（ｉ）前記基板上に配置される、Ｃｕと、Ｔａ、Ｎｂ、Ｍｏ、Ｗ、Ｚｒ、Ｈｆ、Ｒｅ、Ｏｓ、Ｒｕ、Ｒｈ、Ｔｉ、Ｖ、Ｃｒ、およびＮｉから成るリストから選択される１つ以上の耐火金属元素との合金を含む、障壁層と、
（ｉｉ）前記障壁層上に配置される、Ｃｕ、Ａｇ、Ａｌ、またはＡｕのうちの少なくとも１つを含む、導体層と、
を含む、電極と、
を備える、薄膜トランジスタ。
（項目２）
前記基板は、ガラスを含む、項目１に記載の薄膜トランジスタ。
（項目３）
前記基板は、シリコンを含む、項目１に記載の薄膜トランジスタ。
（項目４）
前記基板は、非晶質シリコンを含む、項目３に記載の薄膜トランジスタ。
（項目５）
前記障壁層は、Ｃｕ、Ｔａ、およびＣｒの合金を含む、項目１に記載の薄膜トランジスタ。
（項目６）
前記障壁層は、１重量％〜１２重量％Ｔａ、１重量％〜５重量％Ｃｒ、および残りのＣｕから本質的に成る、項目５に記載の薄膜トランジスタ。
（項目７）
前記障壁層は、約５重量％Ｔａ、約２重量％Ｃｒ、および残りのＣｕから本質的に成る、項目５に記載の薄膜トランジスタ。
（項目８）
前記障壁層は、約２重量％Ｔａ、約１重量％Ｃｒ、および残りのＣｕから本質的に成る、項目５に記載の薄膜トランジスタ。
（項目９）
前記障壁層は、Ｃｕ、Ｔａ、およびＴｉの合金を含む、項目１に記載の薄膜トランジスタ。
（項目１０）
前記障壁層は、１重量％〜１２重量％Ｔａ、１重量％〜５重量％Ｔｉ、および残りのＣｕから本質的に成る、項目９に記載の薄膜トランジスタ。
（項目１１）
前記障壁層は、約５重量％Ｔａ、約２重量％Ｔｉ、および残りのＣｕから本質的に成る、項目９に記載の薄膜トランジスタ。
（項目１２）
前記障壁層は、Ｃｕ、Ｎｂ、およびＣｒの合金を含む、項目１に記載の薄膜トランジスタ。
（項目１３）
前記障壁層は、１重量％〜１０重量％Ｎｂ、１重量％〜５重量％Ｃｒ、および残りのＣｕから本質的に成る、項目１２に記載の薄膜トランジスタ。
（項目１４）
前記障壁層は、約５重量％Ｎｂ、約２重量％Ｃｒ、および残りのＣｕから本質的に成る、項目１２に記載の薄膜トランジスタ。
（項目１５）
（ｉ）前記電極は、（ａ）前記障壁層の暴露された部分と、（ｂ）前記導体層の暴露された部分と、（ｃ）前記障壁層の暴露された部分と前記導体層の暴露された部分との間の界面を含む、側壁を備え、（ｉｉ）前記電極の側壁は、前記界面にもかかわらず、実質的に断絶がない、項目１に記載の薄膜トランジスタ。
（項目１６）
前記基板は、前記障壁層からのＣｕ拡散が実質的にない、項目１に記載の薄膜トランジスタ。
（項目１７）
（ｉ）前記障壁層は、粒界によって分離される複数の結晶粒を含み、（ｉｉ）前記粒界のうちの少なくとも１つは、その中に微粒子を含み、（ｉｉｉ）前記微粒子は、シリコンと前記耐火金属元素のうちの少なくとも１つの反応生成物を含む、項目１に記載の薄膜トランジスタ。
（項目１８）
薄膜トランジスタの電極を形成する方法であって、
シリコンまたはガラスのうちの少なくとも１つを含む、基板を提供するステップと、
前記基板上に、Ｃｕと、Ｔａ、Ｎｂ、Ｍｏ、Ｗ、Ｚｒ、Ｈｆ、Ｒｅ、Ｏｓ、Ｒｕ、Ｒｈ、Ｔｉ、Ｖ、Ｃｒ、およびＮｉから成る群から選択される１つ以上の耐火金属元素との合金を含む、障壁層を堆積させるステップと、
前記障壁層上に、Ｃｕ、Ａｇ、Ａｌ、またはＡｕのうちの少なくとも１つから成る、導体層を堆積させるステップと、
前記障壁層上に、マスク層を形成するステップと、
前記マスク層をパターン化し、前記導体層の一部を露出させるステップであって、前記マスク層の残りの部分は、少なくとも部分的に、前記電極の形状を画定する、ステップと、
その後、エッチング液を付与し、前記パターン化されたマスク層によってマスクされていない前記導体層および前記障壁層の部分を除去し、それによって、
（ｉ）前記障壁層の暴露された部分と、（ｉｉ）前記導体層の暴露された部分と、（ｉｉｉ）前記障壁層の暴露された部分と前記導体層の暴露された部分との間の界面とを含み、
前記界面にもかかわらず、実質的に断絶がない、
前記電極の側壁を形成するステップと、
を含む、方法。
（項目１９）
前記マスク層は、フォトレジストを含む、項目１８に記載の方法。
（項目２０）
前記エッチング液は、リン酸、酢酸、硝酸、および水の混合物を含む、項目１８に記載の方法。
（項目２１）
前記エッチング液は、５０〜６０重量％リン酸、１５〜２５重量％酢酸、３〜５重量％硝酸、および残りの水から本質的に成る、項目１８に記載の方法。
（項目２２）
前記エッチング液は、５０重量％リン酸、２５重量％酢酸、３重量％硝酸、および残りの水から本質的に成る、項目１８に記載の方法。
（項目２３）
前記パターン化されたマスク層の前記残りの部分を除去するステップをさらに含む、項目１８に記載の方法。
（項目２４）
（ｉ）前記障壁層は、粒界によって分離される複数の結晶粒を含み、（ｉｉ）前記基板は、シリコンを含む、項目１８に記載の方法。
（項目２５）
前記粒界のうちの少なくとも１つ内に微粒子を形成するために十分な温度で前記電極をアニーリングするステップをさらに含み、前記微粒子は、シリコンと前記耐火金属元素のうちの少なくとも１つの反応生成物を含む、項目２４に記載の方法。
（項目２６）
前記基板は、ガラスを含む、項目１８に記載の方法。
（項目２７）
前記基板は、シリコンを含む、項目１８に記載の方法。
（項目２８）
前記基板は、非晶質シリコンを含む、項目２７に記載の方法。
（項目２９）
前記障壁層は、Ｃｕ、Ｔａ、およびＣｒの合金を含む、項目１８に記載の方法。
（項目３０）
前記障壁層は、１重量％〜１２重量％Ｔａ、１重量％〜５重量％Ｃｒ、および残りのＣｕから本質的に成る、項目２９に記載の方法。
（項目３１）
前記障壁層は、約５重量％Ｔａ、約２重量％Ｃｒ、および残りのＣｕから本質的に成る、項目２９に記載の方法。
（項目３２）
前記障壁層は、約２重量％Ｔａ、約１重量％Ｃｒ、および残りのＣｕから本質的に成る、項目２９に記載の方法。
（項目３３）
前記障壁層は、Ｃｕ、Ｔａ、およびＴｉの合金を含む、項目１８に記載の方法。
（項目３４）
前記障壁層は、１重量％〜１２重量％Ｔａ、１重量％〜５重量％Ｔｉ、および残りのＣｕから本質的に成る、項目３３に記載の方法。
（項目３５）
前記障壁層は、約５重量％Ｔａ、約２重量％Ｔｉ、および残りのＣｕから本質的に成る、項目３３に記載の方法。
（項目３６）
前記障壁層は、Ｃｕ、Ｎｂ、およびＣｒの合金を含む、項目１８に記載の方法。
（項目３７）
前記障壁層は、１重量％〜１０重量％Ｎｂ、１重量％〜５重量％Ｃｒ、および残りのＣｕから本質的に成る、項目３６に記載の方法。
（項目３８）
前記障壁層は、約５重量％Ｎｂ、約２重量％Ｃｒ、および残りのＣｕから本質的に成る、項目３６に記載の方法。
（項目３９）
タッチパネルディスプレイであって、
基板と、
（ｉ）第１の方向に沿って延在するラインに配列され、（ｉｉ）前記基板上に配置される、複数の伝導性タッチパネル列センサと、
（ｉ）第２の方向に沿って延在するラインに配列され、前記列センサのラインと交差し、（ｉｉ）前記基板上に配置される、複数の伝導性タッチパネル行センサと、
（ｉ）列センサのラインと行センサのラインとの間の交差点に配置され、（ｉｉ）２つの行センサまたは２つの列センサを電気的に接続する、相互配線と、
を備え、前記相互配線は、
（ｉ）Ｃｕ、Ａｇ、Ａｌ、またはＡｕのうちの少なくとも１つを含む、導体層と、
（ｉｉ）前記導体層上に配置される、Ｃｕと、Ｔａ、Ｎｂ、Ｍｏ、Ｗ、Ｚｒ、Ｈｆ、Ｒｅ、Ｏｓ、Ｒｕ、Ｒｈ、Ｔｉ、Ｖ、Ｃｒ、およびＮｉから成るリストから選択される１つ以上の耐火金属元素との合金を含む、キャッピング層と、
を備える、タッチパネルディスプレイ。
（項目４０）
前記相互配線は、列センサ上またはその下に延在し、２つの行センサを電気的に接続し、そして前記相互配線と前記列センサとの間に配置され、前記相互配線および前記列センサを電気的に絶縁する、絶縁層をさらに備える、項目３９に記載のタッチパネルディスプレイ。
（項目４１）
前記相互配線は、行セン上またはその下に延在し、２つの列センサを電気的に接続し、そして前記相互配線と前記行センサとの間に配置され、前記相互配線および前記行センサを電気的に絶縁する、絶縁層をさらに備える、項目３９に記載のタッチパネルディスプレイ。
（項目４２）
前記基板は、絶縁材料を含む、項目３９に記載のタッチパネルディスプレイ。
（項目４３）
前記基板は、ガラスを含む、項目３９に記載のタッチパネルディスプレイ。
（項目４４）
前記列センサおよび行センサは、実質的に透明である伝導性材料から成る、項目３９に記載のタッチパネルディスプレイ。
（項目４５）
前記列センサおよび行センサは、インジウムスズ酸化物を含む、項目３９に記載のタッチパネルディスプレイ。
（項目４６）
前記キャッピング層は、Ｃｕ、Ｔａ、およびＣｒの合金を含む、項目３９に記載のタッチパネルディスプレイ。
（項目４７）
前記キャッピング層は、１重量％〜１２重量％Ｔａ、１重量％〜５重量％Ｃｒ、および残りのＣｕから本質的に成る、項目４６に記載のタッチパネルディスプレイ。
（項目４８）
前記キャッピング層は、約５重量％Ｔａ、約２重量％Ｃｒ、および残りのＣｕから本質的に成る、項目４６に記載のタッチパネルディスプレイ。
（項目４９）
前記キャッピング層は、約２重量％Ｔａ、約１重量％Ｃｒ、および残りのＣｕから本質的に成る、項目４６に記載のタッチパネルディスプレイ。
（項目５０）
前記キャッピング層は、Ｃｕ、Ｔａ、およびＴｉの合金を含む、項目３９に記載のタッチパネルディスプレイ。
（項目５１）
前記キャッピング層は、１重量％〜１２重量％Ｔａ、１重量％〜５重量％Ｔｉ、および残りのＣｕから本質的に成る、項目５０に記載のタッチパネルディスプレイ。
（項目５２）
前記キャッピング層は、約５重量％Ｔａ、約２重量％Ｔｉ、および残りのＣｕから本質的に成る、項目５０に記載のタッチパネルディスプレイ。
（項目５３）
前記キャッピング層は、Ｃｕ、Ｎｂ、およびＣｒの合金を含む、項目３９に記載のタッチパネルディスプレイ。
（項目５４）
前記キャッピング層は、１重量％〜１０重量％Ｎｂ、１重量％〜５重量％Ｃｒ、および残りのＣｕから本質的に成る、項目５３に記載のタッチパネルディスプレイ。
（項目５５）
前記キャッピング層は、約５重量％Ｎｂ、約２重量％Ｃｒ、および残りのＣｕから本質的に成る、項目５３に記載のタッチパネルディスプレイ。
（項目５６）
（ｉ）前記相互配線は、（ａ）前記キャッピング層の暴露された部分と、（ｂ）前記導体層の暴露された部分と、（ｃ）前記キャッピング層の暴露された部分と前記導体層の暴露された部分との間の界面とを含む、側壁を備え、（ｉｉ）前記電極の側壁は、前記界面にもかかわらず、実質的に断絶がない、項目３９に記載のタッチパネルディスプレイ。
（項目５７）
（ｉ）前記キャッピング層は、粒界によって分離される複数の結晶粒を含み、（ｉｉ）前記粒界のうちの少なくとも１つは、その中に微粒子を含み、（ｉｉｉ）前記微粒子は、前記耐火金属元素のうちの少なくとも１つの集塊を含む、項目３９に記載のタッチパネルディスプレイ。
（項目５８）
タッチパネルディスプレイの相互配線を形成する方法であって、
（ｉ）基板と、（ｉｉ）（ａ）第１の方向に沿って延在するラインに配列され、（ｂ）前記基板上に配置される、複数の伝導性タッチパネル列センサと、（ｉｉｉ）（ａ）第２の方向に沿って延在するラインに配列され、前記列センサのラインと交差し、（ｂ）前記基板上に配置される、複数の伝導性タッチパネル行センサとを備える、構造を提供するステップと、
少なくとも、列センサのラインと行センサのラインとの間の交差点に、絶縁体層を堆積させるステップと、
前記絶縁体層上に、Ｃｕ、Ａｇ、Ａｌ、またはＡｕのうちの少なくとも１つを含む、導体層を堆積させるステップと、
前記導体層上に、Ｃｕと、Ｔａ、Ｎｂ、Ｍｏ、Ｗ、Ｚｒ、Ｈｆ、Ｒｅ、Ｏｓ、Ｒｕ、Ｒｈ、Ｔｉ、Ｖ、Ｃｒ、およびＮｉから成る群から選択される１つ以上の耐火金属元素との合金を含む、キャッピング層を堆積させるステップと、
前記キャッピング層上に、マスク層を形成するステップと、
前記マスク層をパターン化し、前記キャッピング層の一部を露出させるステップであって、前記マスク層の残りの部分は、少なくとも部分的に、前記相互配線の形状を画定する、ステップと、
その後、エッチング液を付与し、前記パターン化されたマスク層によってマスクされていない前記キャッピング層および前記導体層の部分を除去し、それによって、
（ｉ）前記キャッピング層の暴露された部分と、（ｉｉ）前記導体層の暴露された部分と、（ｉｉｉ）前記キャッピング層の暴露された部分と前記導体層の暴露された部分との間の界面とを含み、
前記界面にもかかわらず、実質的に断絶がない、
前記相互配線の側壁を形成する、ステップと、
を含む、方法。
（項目５９）
前記マスク層は、フォトレジストを含む、項目５８に記載の方法。
（項目６０）
前記エッチング液は、リン酸、酢酸、硝酸、および水の混合物を含む、項目５８に記載の方法。
（項目６１）
前記エッチング液は、５０〜６０重量％リン酸、１５〜２５重量％酢酸、３〜５重量％硝酸、および残りの水から本質的に成る、項目５８に記載の方法。
（項目６２）
前記エッチング液は、５０重量％リン酸、２５重量％酢酸、３重量％硝酸、および残りの水から本質的に成る、項目５８に記載の方法。
（項目６３）
前記パターン化されたマスク層の前記残りの部分を除去するステップをさらに含む、項目５８に記載の方法。
（項目６４）
前記キャッピング層は、粒界によって分離される複数の結晶粒を含む、項目５８に記載の方法。
（項目６５）
前記粒界のうちの少なくとも１つ内に微粒子を形成するために十分な温度で前記相互配線をアニーリングするステップをさらに含み、前記微粒子は、前記耐火金属元素のうちの少なくとも１つの集塊を含む、項目６４に記載の方法。
（項目６６）
前記基板は、絶縁材料を含む、項目５８に記載の方法。
（項目６７）
前記基板は、ガラスを含む、項目５８に記載の方法。
（項目６８）
前記列センサおよび行センサは、実質的に透明である伝導性材料を含む、項目５８に記載の方法。
（項目６９）
前記列センサおよび行センサは、インジウムスズ酸化物を含む、項目５８に記載の方法。
（項目７０）
前記キャッピング層は、Ｃｕ、Ｔａ、およびＣｒの合金を含む、項目５８に記載の方法。
（項目７１）
前記キャッピング層は、１重量％〜１２重量％Ｔａ、１重量％〜５重量％Ｃｒ、および残りのＣｕから本質的に成る、項目７０に記載の方法。
（項目７２）
前記キャッピング層は、約５重量％Ｔａ、約２重量％Ｃｒ、および残りのＣｕから本質的に成る、項目７０に記載の方法。
（項目７３）
前記キャッピング層は、約２重量％Ｔａ、約１重量％Ｃｒ、および残りのＣｕから本質的に成る、項目７０に記載の方法。
（項目７４）
前記キャッピング層は、Ｃｕ、Ｔａ、およびＴｉの合金を含む、項目５８に記載の方法。
（項目７５）
前記キャッピング層は、１重量％〜１２重量％Ｔａ、１重量％〜５重量％Ｔｉ、および残りのＣｕから本質的に成る、項目７４に記載の方法。
（項目７６）
前記キャッピング層は、約５重量％Ｔａ、約２重量％Ｔｉ、および残りのＣｕから本質的に成る、項目７４に記載の方法。
（項目７７）
前記キャッピング層は、Ｃｕ、Ｎｂ、およびＣｒの合金を含む、項目５８に記載の方法。
（項目７８）
前記キャッピング層は、１重量％〜１０重量％Ｎｂ、１重量％〜５重量％Ｃｒ、および残りのＣｕから本質的に成る、項目７７に記載の方法。
（項目７９）
前記キャッピング層は、約５重量％Ｎｂ、約２重量％Ｃｒ、および残りのＣｕから本質的に成る、項目７７に記載の方法。
【図面の簡単な説明】
【００３３】
図面中、同様の参照文字は、概して、異なる図全体を通して、同一部品を指す。また、図面は、必ずしも、正確な縮尺ではなく、代わりに、概して、本発明の原理の例証であることが強調される。以下の説明では、本発明の種々の実施形態は、以下の図面を参照して説明される。
【図１】図１Ａは、液晶ディスプレイのための薄膜トランジスタの概略断面図である。図１Ｂは、エッチングされた従来のＴＦＴ電極の概略断面図である。
【図２−１】図２Ａは、タッチパネルディスプレイのセンサアレイの概略平面図である。
【図２−２】図２Ｂは、図２Ａのセンサアレイの一部の拡大斜視図である。
【図２−３】図２Ｃは、図２Ｂのセンサアレイ部分の概略断面図である。図２Ｄは、図２Ｃのものに垂直な平面に沿った、エッチングされた従来の相互配線を描写する図２Ｂのセンサアレイ部分の概略断面図である。
【図３】図３は、本発明の種々の実施形態による、製作の際のＴＦＴ電極の概略断面図である。
【図４】図４は、本発明の種々の実施形態による、製作の際のＴＦＴ電極の概略断面図である。
【図５】図５は、本発明の種々の実施形態による、タッチパネルディスプレイのための相互配線の概略断面図である。
【図６】図６は、本発明の種々の実施形態による、タッチパネルディスプレイのための相互配線の概略断面図である。
【図７Ａ】図７Ａは、その間に拡散障壁を伴わない、ＣｕおよびＳｉの相互拡散のオージェスペクトルグラフである。
【図７Ｂ】図７Ｂは、その間に拡散障壁を伴わない、ＣｕおよびＳｉの相互拡散のオージェスペクトルグラフである。
【図８Ａ】図８Ａは、本発明の種々の実施形態による、Ｓｉ層とＣｕ合金キャッピングまたは障壁層との間のＣｕおよびＳｉの相互拡散のオージェスペクトルグラフである。
【図８Ｂ】図８Ｂは、本発明の種々の実施形態による、Ｓｉ層とＣｕ合金キャッピングまたは障壁層との間のＣｕおよびＳｉの相互拡散のオージェスペクトルグラフである。
【図９】図９Ａ−９Ｃは、本発明の種々の実施形態による、堆積時（図９Ａ）、３００℃でアニーリング後（図９Ｂ）、および５００℃でアニーリング後（図９Ｃ）のＣｕ合金キャッピングまたは障壁層の表面の平面顕微鏡写真である。
【図１０】図１０Ａおよび１０Ｂは、本発明の種々の実施形態による、Ｓｉ上にアニーリングされたＣｕ合金キャッピングまたは障壁層の走査電子顕微鏡（図１０Ａ）および伝送電子顕微鏡（図１０Ｂ）を介して撮影された平面顕微鏡写真である。
【図１１】図１１は、本発明の種々の実施形態による、純Ｍｏ、純Ｃｕ、ＣｕＴａＣｒ合金、およびＣｕＮｂＣｒ合金のサンプルの環境腐食試験後の腐食レベルを描写する。
【発明を実施するための形態】
【００３４】
図３は、本発明の実施形態による、ＴＦＴゲート電極の製作における初期ステップを描写する。示されるように、障壁層３００は、例えば、スパッタリングまたは他の物理的堆積プロセスによって、基板３１０（例えば、ガラスまたはシリコン基板）上に堆積される。導体層３２０は、続いて、例えば、スパッタリングまたは他の物理的堆積プロセスによって、障壁層３００上に堆積される。典型的には、障壁層３００の厚さは、導体層３２０の厚さの約５％〜約２５％（例えば、約１０％）であり得る。例えば、障壁層３００の厚さは、約５０ｎｍであってもよく、導体層３２０の厚さは、約５００ｎｍであってもよい。マスク層３３０（例えば、フォトレジスト）が、導体層３２０を覆って形成され、そして従来のフォトリソグラフィによってパターン化されている。
【００３５】
図４に示されるように、ゲート電極４００が、次いで、好ましくは、単一ステップ湿式エッチングにおいて、マスク層３３０によって被覆されていない導体層３２０および障壁層３００の部分をエッチングすることによって製作される。湿式エッチング液（例えば、ＰＡＮエッチング）が、実質的に同一速度で金属層をエッチングするために利用され、実質的に平滑および／または線形であって、しかも導体層３２０と障壁層３００との間の界面４２０に任意の断絶（例えば、段付きまたは非線形外形）が実質的にない、側壁４１０をもたらす。湿式エッチング液は、例えば、５０〜６０重量％リン酸、１５〜２５重量％酢酸、３〜５重量％硝酸、および残りの脱イオン水を含むか、または本質的にそれから成る、ＰＡＮエッチングを含んでもよく、または本質的にそれから成ってもよい。いくつかの具体的実施例は、以下の表に提供される。一好ましい実施形態では、湿式エッチング液は、５０重量％リン酸、２５重量％酢酸、３重量％硝酸、および残りの（２２重量％）脱イオン水を含むか、または本質的にそれから成る。
【表１】
0006291570.tif 000002
【００３６】
エッチング後、基板３１０（ならびに電極４００）は、好ましくは、ゲート電極４００に近接する領域内に導体層３２０および障壁層３００の一方または両方のエッチング残留物が実質的にない。本発明の種々の実施形態によると、湿式エッチングプロセスは、室温で行われる。湿式エッチング液は、基板３１０上に噴霧されてもよいか、または基板３１０は、部分的または完全に湿式エッチング液内に浸漬されてもよい。湿式エッチングプロセスは、バッチ（すなわち、複数の基板）プロセスとして、または単一基板プロセスとして行われてもよい。好ましい実施形態では、エッチング後、側壁４１０は、下にある基板３１０の表面と、約５０o〜約７０o、例えば、約６０oの角度４３０を形成する。エッチング後、マスク層３３０は、従来の手段、例えば、アセトン、市販のフォトレジスト剥離剤、および／または酸素プラズマへの暴露によって、除去されてもよい。
【００３７】
図５は、本発明の実施形態による、タッチパネルセンサ相互配線の製作における初期ステップを描写する。示されるように、伝導性層５００が、例えば、スパッタリングまたは他の物理的堆積プロセスによって、基板５２０（例えば、ガラスまたはシリコン基板）上のセンサ５１０（例えば、ＩＴＯ等の透明導体から構成得る列または行センサ）を覆って堆積される。キャッピング層５３０が、続いて、例えば、スパッタリングまたは他の物理的堆積プロセスによって、伝導性層５００上に堆積される。典型的には、キャッピング層５３０の厚さは、伝導性層５００の厚さの約５％〜約２５％（例えば、約１０％）であり得る。例えば、キャッピング層５３０の厚さは、約５０ｎｍであってもよく、伝導性層５００の厚さは、約５００ｎｍであってもよい。マスク層５４０（例えば、フォトレジスト）が、キャッピング層５３０を覆って形成され、そして従来のフォトリソグラフィによってパターン化される。
【００３８】
図６に示されるように、相互配線６００が、次いで、好ましくは、単一ステップ湿式エッチングにおいて、マスク層５４０によって被覆されていないキャッピング層５３０および伝導性層５００の部分をエッチングすることによって製作される。湿式エッチング液（例えば、ＰＡＮエッチング）が、実質的に同一速度で金属層をエッチングするために利用され、実質的に平滑および／または線形であって、キャッピング層５３０と伝導性層５００との間の界面６２０に任意の断絶（例えば、段付きまたは非線形外形）が実質的にない側壁６１０をもたらす。湿式エッチング液は、例えば、５０〜６０重量％リン酸、１５〜２５重量％酢酸、３−５重量％硝酸、および残りの脱イオン水を含むか、または本質的にそれから成るか、ＰＡＮエッチング液を含むか、または本質的にそれから成ってもよい。一好ましい実施形態では、湿式エッチング液は、５０重量％リン酸、２５重量％酢酸、３重量％硝酸、および残りの（２２重量％）脱イオン水を含むか、または本質的にそれから成る。
【００３９】
エッチング後、基板５２０および電極５１０（ならびに相互配線６００）は、好ましくは、相互配線６００に近接する領域内に、キャッピング層５３０および伝導性層５００の一方または両方のエッチング残留物が実質的にない。本発明の種々の実施形態によると、湿式エッチングプロセスは、室温で行われる。湿式エッチング液は、基板５２０上に噴霧されてもよいか、または基板５２０は、部分的または完全に湿式エッチング液内に浸漬されてもよい。湿式エッチングプロセスは、バッチ（すなわち、複数の基板）プロセスとして、または単一基板プロセスとして行われてもよい。好ましい実施形態では、エッチング後、側壁６１０は、下にある基板５２０の表面と、約５０o〜約７０o、例えば、約６０oの角度６３０を形成する。エッチング後、マスク層３３０は、従来の手段、例えば、アセトン、市販のフォトレジスト剥離剤、および／または酸素プラズマへの暴露によって、除去されてもよい。
【００４０】
本発明の種々の実施形態による、障壁層３００およびキャッピング層５３０はまた、例えば、Ｃｕ、Ａｇ、Ａｌ、またはＡｕを含むか、または本質的にそれから成る金属層のための効果的な拡散障壁としての役割も果たす。具体的には、障壁層３００および／またはキャッピング層５３０内の合金元素（単数または複数）は、例えば、最大２時間の時間、高温（例えば、最大約２００℃、最大約３５０℃、最大約５００℃、またはさらにより高い）に暴露された後も、下にあるシリコン基板または隣接層の中への導体層材料（例えば、Ｃｕ）の拡散を実質的に防止する。図７Ａおよび７Ｂは、加工時（アニーリングなし）および２００℃〜５００℃のアニーリング後、オージェ電子顕微鏡（ＡＥＳ）を用いて測定されたＣｕ／シリコン界面（すなわち、Ｃｕとシリコンとの間の障壁層を伴わない）を横断するＣｕおよびシリコンの濃度を示す。示されるように、Ｃｕおよびシリコンの相互拡散が、２００℃程度（またはさらにそれを下回る）の低い温度で生じ、界面は、５００℃でアニーリング後、著しく拡散される。加えて、Ｃｕ層は、Ｃｕとシリコンとの間の障壁層の不在下、シリコンへの接着不良を呈する。
【００４１】
図８Ａおよび８Ｂは、無アニーリング後および２００℃〜５００℃のアニーリング後、ＡＥＳを用いて測定された、ＣｕＴａＣｒを含むか、または本質的にそれから成る、シリコンと障壁層３００またはキャッピング層５３０との間の界面を横断するＣｕおよびシリコンの濃度を示す。図示される実施形態では、障壁層３００またはキャッピング層５３０は、２重量％Ｔａ、１重量％Ｃｒ、および残りのＣｕから構成される（類似挙動を呈する別の実施形態では、障壁層３００またはキャッピング層５３０は、５重量％Ｔａ、２重量％Ｃｒ、および残りのＣｕを含むか、または本質的にそれから成る）。図７Ａおよび７Ｂに示される結果とは対照的に、２時間、５００℃でのアニーリング後でも、界面を横断するＣｕまたはシリコンの拡散は無視され得る。図９Ａ−９Ｃは、堆積時（図９Ａ）、３００℃で１時間アニーリング後（図９Ｂ）、および５００℃で１時間アニーリング後（図９Ｃ）の障壁層３００またはキャッピング層５３０の表面の一連の走査電子顕微鏡（ＳＥＭ）の顕微鏡写真である。示されるように、障壁層３００またはキャッピング層５３０の粒子構造およびサイズは、認識可能な変化を示さず、そして５００℃の熱処理後も、異なる相（例えば、銅珪化物相）の形成の証拠は存在しない。これらの結果は、アニーリングされた構造のＸ線回折（ＸＲＤ）走査によって確認され、珪化物相は、５００℃で２時間アニーリング後でも検出されなかった。対照的に、銅珪化物相は、５００℃で２時間アニーリングされたＳｉ上の純粋Ｃｕ層のサンプルで行われたＳＥＭおよびＸＲＤでは、明確に明白である。
【００４２】
図１０Ａおよび１０Ｂは、それぞれシリコン（例えば、シリコン基板および／またはシリコン上層）と接触して配置され、３５０℃で３０分間アニーリングされた、障壁層３００またはキャッピング層５３０のＳＥＭおよび透過型電子顕微鏡（ＴＥＭ）画像を示す。沈殿物１０００が、障壁層３００またはキャッピング層５３０のＣｕ粒界１０１０内で明白である。種々の実施形態では、沈殿物は、障壁層３００またはキャッピング層５３０の耐火金属合金元素のうちの１つ以上のもの珪化物を含むか、または本質的にそれから成り、そしてそのような沈殿物は、粒界に沿った隣接シリコンの中へのＣｕ拡散を低減または実質的に排除する。
【００４３】
同様に、本発明の種々の実施形態では、障壁層３００および／またはキャッピング層５３０の耐火金属ドーパントは、Ｃｕ粒界を分離し、シリコンとの反応が不在下でも、珪化物を形成するための有益な影響を提供する傾向にある。例えば、Ｃｕ粒界は、耐火金属ドーパントで占有されるか、部分的にまたは実質的に完全に「ブロックされ」、それによって、Ｃｕ粒界に沿った酸素拡散を遅延または実質的に防止し得る。このように、接触する障壁層３００、キャッピング層５３０、および／または伝導性層の腐食は、低下または実質的に防止される。したがって、本発明の種々の実施形態では、障壁層３００またはキャッピング層５３０は、１つ以上の耐火金属元素でドープされた多結晶Ｃｕマトリックスを含むか、または本質的にそれから成ってもよく、ここでドープされたＣｕ粒子間の層の粒界は、粒子自体内の濃度より高い濃度の耐火金属ドーパント（単数または複数）を含有する。例えば、粒界内の耐火金属濃度は、５倍、１０倍、またはさらに１００倍、粒子内のものを上回り得る。
【００４４】
図１１は、２６０時間、６０℃および８０％湿度で行われた環境腐食試験後の４つの異なる金属サンプルの画像を描写する。示されるように、純粋Ｃｕおよび純粋Ｍｏのサンプルは、本発明の実施形態による、Ｃｕ合金サンプルが経験したよりもはるかに深刻な腐食を経験した。２つのＣｕ合金サンプルは、（１）Ｃｕと１０重量％Ｔａおよび２重量％Ｃｒ（図１１では、ＣｕＴａＣｒとして標識される）と、（２）Ｃｕと５重量％Ｎｂおよび２重量％Ｃｒ（図１１では、ＣｕＮｂＣｒとして標識される）であった。以下の表は、各々のサンプルについて、環境腐食試験の間に腐食した暴露表面積の量に関するデータを提供する。示されるように、本発明の実施形態によるＣｕ合金サンプルは、純粋ＣｕおよびＭｏサンプルよりはるかに少ない腐食を経験し、従来のＭｏ拡散障壁およびキャッピング層ならびに純粋Ｃｕに優るそのような合金の利点を実証した。
【表２】
0006291570.tif 000003
【００４５】
本発明の好ましい実施形態では、障壁層３００またはキャッピング層５３０は、最大５００℃、最大６００℃、またはさらにより高い温度のアニーリング後でも、低い抵抗率を有し、例えば、１０ｍｉｃｒｏＯｈｍ−ｃｍを下回る、またはさらに５ｍｉｃｒｏＯｈｍ−ｃｍを下回る。さらに、好ましい実施形態では、障壁層３００またはキャッピング層５３０は、例えば、ＡＳＴＭ標準的テープ試験によって測定されるように、ガラスへの良好な接着を呈する。本発明の実施形態はまた、高伝導性材料（例えば、Ｃｕ、Ａｇ、Ａｌ、および／またはＡｕ）が、導体または電極の全部または一部を形成するために利用され、そしてその下に障壁層３００およびその上にキャッピング層５３０の両方を有する、電子素子（または、その一部）を含む。
【００４６】
本明細書に採用される用語および表現は、限定ではなく、説明の用語および表現として使用され、そのような用語および表現の使用において、図示および説明される特徴またはその一部の任意の均等物を除外する意図はない。加えて、本発明のある実施形態が説明されたが、本明細書に開示される概念を組み込む他の実施形態が、本発明の精神および範囲から逸脱することなく使用されてもよいことが、当業者に明白となるであろう。故に、説明される実施形態は、あらゆる点において、制限ではなく、例証にすぎないものと考えられるべきである。
【図１】
0006291570.tif 000004
【図２−１】
0006291570.tif 000005
【図２−２】
0006291570.tif 000006
【図２−３】
0006291570.tif 000007
【図３】
0006291570.tif 000008
【図４】
0006291570.tif 000009
【図５】
0006291570.tif 000010
【図６】
0006291570.tif 000011
【図７Ａ】
0006291570.tif 000012
【図７Ｂ】
0006291570.tif 000013
【図８Ａ】
0006291570.tif 000014
【図８Ｂ】
0006291570.tif 000015
【図９】
0006291570.tif 000016
【図１０】
0006291570.tif 000017
【図１１】
0006291570.tif 000018